(57)【要約】【課題】  例えば美術用途に用いられるつけペンのペン先を長時間連続した筆記に好適化することを可能とする。【解決手段】  ペン先２の表面に脱着自在に面接触する接触面を有する本体部１０と、本体部１０の一端に位置して本体部１０とインクが収容される収容空間３１ｘを有するインク収容体３とを脱着自在に結合させる結合端１１とを備え、本体部１０は、結合端１１がインク収容体３と結合した状態で収容空間３１ｘと外部とを連通させる複数の連通路を有し、接触面は、ペン先２に面接触した状態で少なくともペン先２の表面内に形成されたスリットの根元に達しており、複数の連通路の少なくともいずれか１つは接触面上に形成されている、ペン芯１。【選択図】  図３
2019209476.tif 000002
【特許請求の範囲】
【請求項１】
ペン先の表面に脱着自在に面接触する接触面を有する支持軸体と、
前記支持軸体の一端に位置して前記支持軸体とインクが収容される収容空間を有するインク収容体とを脱着自在に結合させる結合端とを備え、
前記支持軸体は、
前記結合端が前記インク収容体と結合した状態で前記収容空間と外部とを連通させる複数の連通路を有し、
前記接触面は、前記ペン先に面接触した状態で少なくとも前記ペン先の前記表面内に形成されたスリットの根元に達しており、
前記複数の連通路の少なくともいずれか１つは前記接触面上に形成されている、
ペン芯。
【請求項２】
前記支持軸体の先端は、その中心軸から離れる向きに湾曲又は屈曲している、
請求項１に記載のペン芯。
【請求項３】
前記支持軸体は、その中心軸に直交する向きに可撓性を有する、
請求項１又は２に記載のペン芯。
【請求項４】
複数の連通路の他のいずれか１つは、前記支持軸体内に、その延出方向に沿って形成された空洞と、前記結合端の端面に形成されたスリット又は開口と、前記支持軸体の他端に形成された開口とを有する、
請求項１から３のいずれかに記載のペン芯。
【請求項５】
前記支持軸体は、側面に形成された、前記複数の連通路の前記他のいずれか１つと連通している溝部を有し、
前記支持軸体は、前記支持軸体の前記接触面が前記ペン先に面接触した状態では、前記溝部の幅が固定前より狭くなるよう変形する、
請求項４に記載のペン芯。
【請求項６】
請求項１から５のいずれかに記載のペン芯と、
前記ペン芯、前記ペン先及び前記インク収容体を結合する結合部とを備えた、
ペン先の保持構造。
【請求項７】
前記結合部は、
前記支持軸体の延出方向に沿って、前記ペン先と前記ペン芯との距離を調節可能且つ前記ペン先と前記インク収容体との距離を一定の状態として、前記ペン芯、前記ペン先及び前記インク収容体を結合する、
請求項６に記載のペン先の保持構造。
【請求項８】
前記結合部は、前記ペン先の周囲及び前記インク収容体の前記内部空間と連通する開口に嵌合するとともに前記ペン先の後端に接触する、
請求項７に記載のペン先の保持構造。
【請求項９】
前記結合部は、
前記支持軸体の延出方向に沿って、前記ペン先と前記ペン芯との距離を調節可能に結合するとともに、前記ペン先と前記ペン芯とが距離固定に結合された状態で前記ペン先と前記インク収容体との距離を調節可能に、前記ペン芯、前記ペン先及び前記インク収容体を結合する、
請求項６に記載のペン先の保持構造。
【請求項１０】
前記結合部は、前記インク収容体と一体的に構成されている、
請求項６から９のいずれかに記載のペン先及びペン芯の固定構造。
【請求項１１】
請求項１から５のいずれかに記載のペン芯又は請求項６から１０のいずれかに記載のペン先の固定構造と、
インクが収容される収容空間を有するインク収容体を内部に収容可能な胴軸とを備えた、
ペンホルダ。
【請求項１２】
請求項１から５のいずれかに記載のペン芯又は請求項６から１０のいずれかに記載のペン先の固定構造と、
ペン先と、
インクが収容される収容空間を有するインク収容体を内部に収容可能な胴軸とを備えた、
筆記具。
【発明の詳細な説明】
【技術分野】
【０００１】
本発明は、単品で流通するつけペンであるペン先に装着することにより万年筆のように使用できる筆記具を構成することが可能なペン芯及びペン先の保持構造、並びにそれらを用いたペンホルダ及び筆記具に関する。
【背景技術】
【０００２】
現在汎用される筆記具は、万年筆、ボールペンに例示されるように、ペン先と一体化又は別体としてインクを供給するインク貯蔵部を胴軸内に備えることにより長時間の使用を可能としている。特に万年筆は、インク貯蔵部をコンバータ又はカートリッジとして交換可能な部品とすることにより、ペン先や胴軸を継続して使用することができる（例えば特許文献１を参照。）。
【先行技術文献】
【特許文献】
【０００３】
【特許文献１】特開２０１６−８３８９１号公報
【発明の概要】
【発明が解決しようとする課題】
【０００４】
上記従来の筆記具は、主に書字用途とされることから均一幅の描線を形成することが求められる一方、絵画その他の美術の分野においては、表現上の理由から多くは描画に個性を与えるため描線の幅に変化を持たせることが求められる。そこで描画に用いられる筆やペンは、そのような要求に応じて形状、仕組みが異なる種々のバリエーションが存在している。
【０００５】
しかしながら、これらの美術用途の筆記具は、筆記具とは独立した外部の硯やインク壺から墨やインクを逐次供給する必要があり、長時間の連続した筆記を行うことは困難であった。
【０００６】
本発明は、上記の課題に鑑みてなされたものであり、例えば美術用途に用いられるつけペンのペン先を長時間連続した筆記に好適化することが可能なペン芯、ペン先の保持構造、並びにそれらを用いたペンホルダ及び筆記具を提供することを目的とする。
【課題を解決するための手段】
【０００７】
上記の目的を達成するために、本発明の第１の側面は、ペン先の表面に脱着自在に面接触する接触面を有する支持軸体と、前記支持軸体の一端に位置して前記支持軸体とインクが収容される収容空間を有するインク収容体とを脱着自在に結合させる結合端とを備え、前記支持軸体は、前記結合端が前記インク収容体と結合した状態で前記収容空間と外部とを連通させる複数の連通路を有し、前記接触面は、前記ペン先に面接触した状態で少なくとも前記ペン先の前記表面内に形成されたスリットの根元に達しており、前記複数の連通路の少なくともいずれか１つは前記接触面上に形成されている、ペン芯である。
【０００８】
これにより、例えば美術用途に用いられるつけペンのペン先をインク収容体からインクの供給を受ける筆記具として構成して、長時間連続した筆記に好適化することが可能となる。
【０００９】
本発明の第２の側面は、前記支持軸体の先端は、その中心軸から離れる向きに湾曲又は屈曲している、本発明の第１の側面のペン芯である。
【００１０】
これにより、ペン先との接触面の密着性を高めてペン先からのインク漏れを抑制して、信頼性の高い筆記具を得ることが可能となる。
【００１１】
本発明の第３の側面は、前記支持軸体は、その中心軸に直交する向きに可撓性を有する、本発明の第１又は第２の側面のペン芯である。
【００１２】
これにより、ペン先の表面とペン芯の接触面との接触状態を良好に保たせてペン先からのインクの吐出量を安定化することが可能となり、ひいてはペン先の筆記具としての書き心地、描線の品質を向上させることが可能となる。
【００１３】
本発明の第４の側面は、複数の連通路の他のいずれか１つは、前記支持軸体内に、その延出方向に沿って形成された空洞と、前記結合端の端面に形成されたスリット又は開口と、前記支持軸体の他端に形成された開口とを有する、本発明の第１から第３のいずれかの側面のペン芯である。
【００１４】
これにより、ペン芯とインク収容体との気液交換作用を促進してペン先からのインクの吐出量を安定化することが可能となり、ひいてはペン先の筆記具としての書き心地、描線の品質を向上させることが可能となる。
【００１５】
本発明の第５の側面は、前記支持軸体は、側面に形成された、前記複数の連通路の前記他のいずれか１つと連通している溝部を有し、前記支持軸体は、前記支持軸体の前記接触面が前記ペン先に面接触した状態では、前記溝部の幅が固定前より狭くなるよう変形する、本発明の第４の側面のペン芯である。
【００１６】
これにより、ペン芯の横断面形状をペン先の横断面形状に追従させて装着性を高めることが可能となり、形状に異なりやばらつきのある種々のペン先へ適用できる、汎用性の高い筆記具を得ることが可能となる。
【００１７】
本発明の第６の側面は、本発明の第１から第５のいずれかの側面のペン芯と、前記ペン芯、前記ペン先及び前記インク収容体を結合する結合部とを備えた、ペン先の保持構造である。
【００１８】
これにより、例えば美術用途に用いられるつけペンのペン先を、インク収容体からインクの供給を受ける筆記具とすることが可能となる。
【００１９】
本発明の第７の側面は、前記結合部は、前記支持軸体の延出方向に沿って、前記ペン先と前記ペン芯との距離を調節可能且つ前記ペン先と前記インク収容体との距離を一定の状態として、前記ペン芯、前記ペン先及び前記インク収容体を結合する、本発明の第６の側面のペン先の保持構造である。
【００２０】
これにより、ペン先とペン芯とを所望の距離にて固定して、ペン先の表面とペン芯の接触面との接触状態を最適化してインクの吐出量を安定化するとともに、ペン先を安定して固定して、書き心地及び描線の品質を向上させた筆記具を得ることが可能となる。
【００２１】
本発明の第８の側面は、前記結合部は、前記ペン先の周囲及び前記インク収容体の前記内部空間と連通する開口に嵌合するとともに前記ペン先の後端に接触する、本発明の第７の側面のペン先の保持構造である。
【００２２】
これにより、形状や描線の特性に異なりのある種々のペン先へ適用できる、汎用性の高い筆記具を、簡易な構成及び組立にて実現して、メンテナンスが容易で安価な筆記具を提供することが可能となる。
【００２３】
本発明の第９の側面は、前記結合部は、前記支持軸体の延出方向に沿って、前記ペン先と前記ペン芯との距離を調節可能に結合するとともに、前記ペン先と前記ペン芯とが距離固定に結合された状態で前記ペン先と前記インク収容体との距離を調節可能に、前記ペン芯、前記ペン先及び前記インク収容体を結合する、本発明の第６の側面のペン先の保持構造である。
【００２４】
これにより、使用者の個性に応じた書き心地を与える、特に美術用途に好適な筆記具を得ることが可能となる。
【００２５】
本発明の第１０の側面は、前記結合部は、前記インク収容体と一体的に構成されている、本発明の第６から第９のいずれかの側面のペン先及びペン芯の固定構造である。
【００２６】
これにより、形状や描線の特性に異なりのある種々のペン先へ適用できる、汎用性の高い筆記具を、より簡易な構成にて実現するとともに、インク漏れの恐れを軽減して信頼性を向上させることが可能となる。
【００２７】
本発明の第１１の側面は、本発明の第１から第５のいずれかの側面のペン芯又は本発明の第６から第１０のいずれかの側面のペン先の固定構造と、インクが収容される収容空間を有するインク収容体を内部に収容可能な胴軸とを備えた、ペンホルダである。
【００２８】
これにより、形状や描線の特性に異なりのある種々のペン先、更には色や種類の異なるインクを収容するインク収容体を選択的に装着して使用できる、汎用性の高い筆記具を得ることが可能となる。
【００２９】
本発明の第１から第５のいずれかの側面のペン芯又は本発明の第６から第１０のいずれかの側面のペン先の固定構造と、ペン先と、インクが収容される収容空間を有するインク収容体を内部に収容可能な胴軸とを備えた、筆記具である。
【００３０】
これにより、例えば美術用途に用いられるつけペンのペン先を長時間連続した筆記に好適化することが可能となる。
【発明の効果】
【００３１】
以上のような本発明は、つけペンのペン先を長時間連続した筆記用に好適化することが可能になるという効果を奏する。
【図面の簡単な説明】
【００３２】
【図１】（ａ）本発明の実施の形態１に係るペン芯の構成を示す斜視図（ｂ）本発明の実施の形態１に係るペン芯の構成を示す斜視図
【図２】（ａ）本発明の実施の形態１に係るペン芯の構成を示す平面図（ｂ）図２（ａ）のＡ矢視図（ｃ）図２（ａ）のＣ−Ｃ断面図（ｄ）図２（ａ）のＢ矢視図
【図３】本発明の実施の形態１に係るペン先の保持構造の構成を示す断面図
【図４】（ａ）本発明の実施の形態２に係るペン芯の構成を示す斜視図（ｂ）本発明の実施の形態１に係るペン芯の構成を示す斜視図
【図５】（ａ）本発明の実施の形態２に係るペン芯の構成を示す平面図（ｂ）図５（ａ）のＡ矢視図（ｃ）図５（ａ）のＣ−Ｃ断面図（ｄ）図５（ａ）のＢ矢視図
【図６】本発明の実施の形態２に係るペン先の保持構造の構成を示す断面図
【図７】（ａ）本発明の実施の形態２に係るペン芯の作用効果を説明するための図（ｂ）本発明の実施の形態２に係るペン芯の作用効果を説明する断面図（ｃ）本発明の実施の形態２に係るペン芯の作用効果を説明するための図
【図８】（ａ）本発明の実施の形態３に係るペン先の保持構造の構成を示す断面図（ｂ）本発明の実施の形態３に係るペン先の保持構造の構成を示す断面図（ｃ）本発明の実施の形態３に係るペン先の保持構造の構成を示す断面図
【図９】（ａ）本発明の他の実施の形態に係るペン芯の構成を示す断面図（ｂ）本発明の他の実施の形態に係るペン芯の構成を示す断面図（ｃ）本発明の他の実施の形態に係るペン芯の構成を示す裏面図
【図１０】（ａ）本発明の他の実施の形態に係るペン先の保持構造の構成を示す断面図（ｂ）本発明の他の実施の形態に係るペン先の保持構造の構成を示す断面図
【図１１】（ａ）本発明の実施の形態に係るペンホルダの構成を示す図（ｂ）本発明の実施の形態に筆記具の構成を示す図
【発明を実施するための形態】
【００３３】
以下、本発明の実施の形態について、図面を参照しながら説明する。
【００３４】
（実施の形態１）
本発明の実施の形態１に係るペン芯は、つけペンとしてペンホルダに装着して用いられる丸ペンに例示されるペン先に組み合わせることで、当該ペン先を万年筆用のコンバータ又はインクカートリッジに例示されるインク収容体と組み合わせた筆記具を実現するものである。
【００３５】
図１（ａ）は、本発明の実施の形態１に係るペン芯の構成を示す後方から見た斜視図、図１（ｂ）は前方から見た斜視図である。なお、ここで前方とは、図１（ａ）に示すペン先２の先端２Ｔ側として、後方とはペン先２の後端２Ｅ側として、それぞれ定義される。
【００３６】
図１（ａ）（ｂ）にそれぞれ示すように、ペン芯１において、本体部１０は、ポリプロピレン、シリコンゴム、ポリスチレン、等の合成樹脂に例示される、耐油性、耐水性及び一定の弾性を有する素材により作成された、内部が空洞である外形略円筒形状の部材である。本体部１０の先端は円筒形状の側面を中心軸ＣＡに斜行する平面又は曲面により切断してなる端面形状を有するとともに内部の空洞と連通する開口１０ａが形成され、後端１０Ｅには円筒形状の側面を中心軸ＣＡに直交する平面により切断してなる端面形状を有するとともに内部の空洞と連通する開口１２ａが形成される。
【００３７】
更に、本体部１０の側面には、後端１０Ｅから先端１０Ｔにまで達する直線状の凹溝１０ｂが形成されるとともに、凹溝１０ｂから中心軸ＣＡを間に挟んで相対する位置には、凹溝１０ｂと並行をなす側面スリット１０ｃが形成される。側面スリット１０ｃは開口１０ａ、１２ａ及び本体部１０の内部の空洞に連通する。なお、上述した本体部１０内の空洞は後述する図２、３において内部空間１０ｘとして示される。
【００３８】
次に、図１（ａ）を参照して、ペン芯１に装着されるペン先２について説明する。ペン先２は所謂丸ペンに例示される、先端２Ｔを含んでなる横断面形状が弧状のペン本体２１と後端２Ｅを含んでなる横断面形状が環状の嵌合部２２とが一体化した構成を有し、ペン本体２１の表面上には、先端２Ｔからペン本体２１の表面中央に向かって延出してペン本体２１を等分割する切り割り２１ｙが形成され、切り割り２１ｙの先端は孔部２１ｘとして平面的に広がった空隙を形成している。
【００３９】
ペン芯１の本体部１０は、ペン先２の嵌合部２２の内径と略同一、あるいはそれ以上の外径を有する。これにより、ペン先２は、図中矢印Ｄに示すように、嵌合部２２をペン先２の本体部１０に嵌合させてペン先２に脱着自在に固定される。
【００４０】
ペン芯１がペン先２に固定された状態で、本体部１０の後端１０Ｅを含んだ部分は、図２（ａ）に示すようにペン先２の嵌合部２２から結合端１１として突出する。なお、嵌合の方向は図１（ａ）とは逆に、ペン本体２１側から結合端１１側へ向かって挿入させるものとしてもよい。また、図１（ａ）（ｂ）においては、本体部１０における結合端１１と他の部分との境界を破線にて仮想的に示した。
【００４１】
次に、図２（ａ）〜（ｄ）を参照して、ペン先２と組み合わせた状態として、ペン芯１の構成を更に説明する。なお、図２（ａ）においては図示容易のためペン芯１は点線によりペン先２を透過した状態として示した。
【００４２】
図２（ａ）の平面図に示すように、ペン芯１とペン先２とは、ペン芯１の本体部１０上の凹溝１０ｂとペン先２の切り割り２１ｙとが同一線上に重なるように位置決めされた状態で組み合わされ、これによりペン芯１の本体部１０の先端１０Ｔは切り割り２１ｙ上に配置される。なお、先端１０Ｔの配置は少なくとも孔部２１ｘの縁にまで達していればよく、切り割り２１ｙ及び孔部２１ｘの任意の位置に位置決めすることができる。
【００４３】
次に、図２（ａ）のＡ矢視図である図２（ｂ）に示すように、ペン芯１の内部空間１０ｘを通過する中心軸ＣＡ周りに同心円状にペン芯１の本体部１０の壁体並びにペン先２のペン本体２１及び嵌合部２２が配置され、ペン芯１の本体部１０の側面であって、凹溝１０ｂを含む面は接触面ＣＳとしてペン先２のペン本体２１の凹面側に面接触する。
【００４４】
更に、図２（ｂ）、図２（ａ）のＣ−Ｃ断面図である図２（ｃ）及び図２（ａ）のＢ矢視図である図２（ｄ）に示すように、ペン芯１の本体部１０は、ペン先２の嵌合部２２へ嵌合してペン本体２１との間に接触面ＣＳを形成する際に、嵌合部２２からの押圧を受けて側面スリット１０ｃの幅が狭くなるよう変形する。
【００４５】
以上の構成において、ペン芯１は本発明のペン芯に相当し、ペン先２は本発明のペン先に相当する。また、ペン芯１において本体部１０は本発明の支持軸体、結合端１１は本発明の結合端にそれぞれ相当する。ペン先２において切り割り２１ｙ及び孔部２１ｘの組合せは本発明のスリットに相当する。
【００４６】
また、接触面ＣＳは本発明の接触面に相当し、凹溝１０ｂ、並びに開口１０ａ、１２ａ及び内部空間１０ｘが形成する経路は、それぞれ本発明の複数の連通路の各々に相当する。更に、側面スリット１０ｃは本発明の溝部に相当する。
【００４７】
本実施の形態１のペン芯１は、以上の構成を備えたことにより、装着させたペン先２を、外部のコンバータやカートリッジのようなインク収容体と組み合わせることにより、インク収容体からペン先２にインクの供給を受ける筆記具として構成して、長期間の筆記を実現させる。
【００４８】
以下、図３を参照して、更に説明を行う。図３は、本発明のペン先の保持構造の一実施の形態である、図２（ａ）に示すペン先２に組み合わされたペン芯１をインク収容体３に更に組み合わせた構成を示す図である。なお、図３はペン芯１の中心軸ＣＡ及び凹溝１０ｂを通る平面による断面図である。
【００４９】
図３に示すように、インク収容体３は、インクを収容する収容空間３１ｘを内部に有する略円筒形状の収容本体３１を備える。インクの供給口となる開口３１ｙの内側近傍には合成ゴム、合成樹脂等により作成されたパッキン３２が固定され、収容空間３１ｘの内周面３１ｚの内径を部分的に小さくして内周面３１ｚに段差を与える。収容本体３１の内径とペン先２の嵌合部２２の外径は略等しく、且つパッキン３２の内径はペン芯１の結合端１１の外径以下に定められる。
【００５０】
これにより、インク収容体３とペン芯１は、パッキン３２に結合端１１が嵌合するとともに収容本体３１の開口３１ｙにペン先２の嵌合部２２が嵌合した状態でペン先２を含めて一体的に結合されて、ペン先の保持構造１００を構成している。なお、インク収容体３において、収容本体３１の開口３１ｙ及びパッキン３２近傍の構成は、本発明のペン先の保持構造の結合部に相当する。
【００５１】
ペン先の保持構造１００においては、インク収容体３の収容本体３１の収容空間３１ｘは、ペン芯１の結合端１１の後端１０Ｅから本体部１０の先端１０Ｔまで達する凹溝１０ｂと、結合端１１の後端１０Ｅ上の開口１２ａから内部空間１０ｘを介して開口１０ａにまで達する経路の２つの独立した経路により外部と連通する。
【００５２】
これにより、インク収容体３に収容されたインクは、収容本体３１がペン芯１の開口１０ａと連通することで収容空間３１ｘの気圧が外気圧と同一に保たれた状態を保ちつつ、毛細管現象によりペン芯１の凹溝１０ｂからペン先２のペン本体２１の孔部２１ｘを切り割り２１ｙの順に流れて先端２Ｔに供給される。これにより、ペン先の保持構造１００は万年筆と同様の気液交換によりインクの吐出を行う筆記具として機能する。
【００５３】
以上の構成において、ペン芯１に装着されるペン先２は、本来つけペンとしてペンホルダに装着して用いられる丸ペンに例示されるペン先を用いる。ペン先は、絵画、イラストレーション等の美術の分野において汎用される一方で、万年筆のようにコンバータやインクカートリッジと組み合わせることができないため、筆記具とは独立したインク壺からインクを逐次供給する必要があり、長時間の連続した筆記を行うことは困難であった。
【００５４】
本実施の形態１のペン芯１は、上記のようなペン先であるペン先２に対してインク収容体３からペン先２にインクの供給を行わせ、万年筆と同様に長時間の連続した筆記を行わせることが可能となる。
【００５５】
更に、ペン芯１に対してペン先２は脱着自在に嵌合する構成を備えたことにより、単一のペン芯に対してペン先２を交換して用いることができる。これにより、経年使用により摩耗、錆び等により劣化したペン先２を容易に交換することができる。ひいては、ペン芯とペン先が一体化した構成であってペン先の交換をメーカー側の修理に依存する市販の万年筆に比して、使用者側にて書き心地や描線の品質を容易且つ安価に維持することが可能となる。
【００５６】
更に、本実施の形態１のペン芯１は、本体部１０において、結合端１１の後端１０Ｅ上の開口１２ａから内部空間１０ｘを介して開口１０ａにまで達する経路を、外部と連通する連通路として設けた構成としたことにより、ペン先２とインク収容体３との気液交換作用を促進してペン先２からのインクの吐出量を安定化することが可能となり、ひいてはペン先２の筆記具としての書き心地、描線の品質を向上させることが可能となる。
【００５７】
更に、本実施の形態１のペン芯１は、本体部１０に内部空間１０ｘと連通するとともに、ペン芯１との組み合わせ時には単体時よりも幅が狭くなる側面スリット１０ｃを形成したことにより以下の効果を奏する。すなわち、ペン先２は、線幅や線の態様その他描線の特性が同一とされるものであっても、ロット又はメーカーによって嵌合部２２の内径に公差又は誤差その他の原因によるばらつきがあり、ペン芯１との装着状態が一定の品質に保たれなくなる恐れがある。
【００５８】
これに対し、本実施の形態１のペン芯１は上記の構成を備えたことにより、ペン先２の嵌合部２２の内部形状に追従して、本体部１０が側面スリット１０ｃの幅の変形分に応じて外径が小さくなる、あるいは断面積が小さくなるよう変形する。これにより、ペン芯１の嵌合部２２の横断面形状をペン先２の本体部１０の横断面形状に追従させて装着性を高めることが可能となり、ペン先２の嵌合部２２の内径のばらつきに対応して安定した書き心地を維持することが可能となる。更には、描線の特性や横断面形状に異なりのある種々のペン先を付け替えて使用できる、汎用性の高い筆記具を得ることが可能となる。
【００５９】
更に、本実施の形態１のペン芯１は、インク収容体３と結合するペン先の保持構造１００として、結合部としてのパッキン３２に結合端１１が嵌合するとともに収容本体３１の開口３１ｙにペン先２の嵌合部２２が嵌合し、更に嵌合部２２の後端がパッキン３２に接触した状態でペン先２を含めて一体的に結合された構成を有することにより、以下の効果を奏する。
【００６０】
すなわち、上記の構成においては、ペン先２とペン芯１とは、中心軸ＣＡと平行をなす本体部１０の延出方向に沿って、ペン芯１の先端１０Ｔをペン先２の切り割り２１ｙ及び孔部２１ｘがなす直線の所望の位置に調節して位置決めした状態にて嵌合した状態で、インク収容体３に更に嵌合して固定される。これにより、本体部１０の凹溝１０ｂからペン本体２１へのインクの供給量を最適化し、更には筆記中における接触面ＣＳの状態、すなわちペン先２の表面とペン芯１との距離の変化や接触面積を最適化してインクの吐出量を安定化する。
【００６１】
更に、筆圧に起因するペン先２の軸方向に沿った移動をパッキン３２との干渉により規制して安定して固定させる。これらにより、書き心地及び描線の品質を向上させた筆記具を得ることが可能となる。
【００６２】
更に、上記の構成においては、ペン芯１とペン先２の着脱は本体部１０の中心軸ＣＡに沿った挿抜に基づく嵌合という簡易な組立操作で行うことができ、使用者側でペン先２の交換やペン芯１の洗浄等のメンテナンスが容易な筆記具を得ることが可能となる。
【００６３】
更に、ペン芯１の洗浄等のメンテナンスが容易なことから、インク収容体３に収容して用いるインクとしては油性インクを用いることもでき、主に水性インクを用いる万年筆に比して適用できるインクの色、種類が広汎な、特に絵画等の美術用途に好適な筆記具を得ることが可能となる。
【００６４】
（実施の形態２）
本発明の実施の形態２に係るペン芯は、つけペンとしてペンホルダに装着して用いられるペン先として、Ｇペンに例示されるペン先に組み合わせることで、当該ペン先を万年筆用のコンバータ又はインクカートリッジと組み合わせた筆記具を実現するものである。
【００６５】
図４（ａ）は、本発明の実施の形態２に係るペン芯及びペン先の構成を示す後方から見た斜視図、図４（ｂ）は前方から見た斜視図である。
【００６６】
図４（ａ）に示すように、本実施の形態２のペン芯４は、所謂Ｇペンに例示されるペン先５に対応する。ペン先５は、先端５Ｔ及び後端５Ｅを含んでなる全体の横断面形状が弧状のペン本体５１を含んでなり、ペン本体５１の表面上には、ペン先２同様、先端５Ｔからペン本体５１の表面中央に向かって延出してペン本体５１を等分割する切り割り５１ｙが形成され、切り割り５１ｙの先端は孔部５１ｘとして平面的に広がった空隙を形成している。
【００６７】
本実施の形態２のペン芯４の各部は、上記のような形状を有するペン先５の形状及び寸法に適合した形状及び寸法を有すること以外は、実施の形態１のペン芯１と同様の構成・機能を有し、対応する箇所は同一名称を付し、詳細な説明は省略する。
【００６８】
ペン芯４の本体部４０は、ペン先５のペン本体５１の横断面形状に略同一に対応した、あるいは凹面の湾曲の程度が異なる側面を形成する。これにより、ペン先５は、図中矢印Ｄに示すように、ペン本体５１をペン芯４の本体部４０の円筒形状の側面である表面に面接触させる。更に、本体部４０の後端には円筒形状の底面に相当して内部の空洞を閉塞する端面４２が設けられ、端面４２には本体部４０の、後述する内部空間４０ｘである内部の空洞と連通する、所定幅を有する端面スリット４２ａが形成されることで、内部空間４０ｘは本体部４０の外形に沿った輪郭を構成する。
【００６９】
以上の構成において、凹溝４０ｂ、並びに開口４０ａ、端面スリット４２ａ及び内部空間４０ｘが形成する経路は、それぞれ本発明の複数の連通路の各々に相当する。更に、側面スリット４０ｃ及び端面スリット４２ａの組み合わせは本発明の溝部に相当する。
【００７０】
このような構成を有する本実施の形態２のペン芯４は、凹溝４０ｂを含む側面をペン先５の凹面に面接触させた状態で、実施の形態１と同様、本体部４０の端面４２を含んだ部分は、図５（ａ）に示すようにペン先５のペン本体５１の後端５Ｅから結合端４１として突出する。なお、図４（ａ）（ｂ）においては、本体部４０における結合端４１と他の部分との境界を破線にて仮想的に示した。
【００７１】
次に、図５（ａ）〜（ｄ）を参照して、ペン先５と組み合わせた状態として、ペン芯４の構成を更に説明する。ただし、図５（ａ）においては図示容易のためペン芯４は点線によりペン先５を透過した状態として示した。
【００７２】
図５（ａ）の平面図に示すように、実施の形態１と同様、ペン芯４とペン先５とは、ペン芯４の本体部４０上の凹溝４０ｂとペン先５の切り割り５１ｙとが同一線上に重なるように位置決めされ、これによりペン芯４の本体部４０の先端４０Ｔは切り割り５１ｙ上に配置される。なお、先端４０Ｔの配置は少なくとも孔部５１ｘの縁にまで達していれば、切り割り５１ｙ及び孔部５１ｘの任意の位置に位置決めすることができる。
【００７３】
次に、図５（ａ）のＡ矢視図である図５（ｂ）、図５（ａ）のＣ−Ｃ断面図である図５（ｃ）、及び図５（ａ）のＢ矢視図である図５（ｄ）に示すように、ペン芯４の内部空間４０ｘを通過する中心軸ＣＡ周りに同心円状にペン芯４の本体部４０の壁体並びにペン先５のペン本体５１が配置され、ペン芯４の本体部４０の側面であって、凹溝４０ｂを含む面は接触面ＣＳとしてペン先５のペン本体５１の凹面側に面接触する。
【００７４】
次に、図６は、本発明のペン先の保持構造の一実施の形態である、図５（ａ）に示すペン先５に組み合わされたペン芯４をインク収容体３に更に組み合わせた構成を示す図であって、ペン芯４の中心軸ＣＡを通る平面による断面図である。ただし、図３に示す構成と同一又は相当する構成については、同一符号を付し詳細な説明は省略する。なお、収容本体３１の開口３１ｙの外形とペン先５のペン本体５１の外形の曲率は略等しく、且つパッキン３２の内径はペン芯４の結合端４１の外径以下に定められる。
【００７５】
これにより、インク収容体３とペン芯４は、パッキン３２に結合端４１が嵌合するとともに、ペン先５のペン本体５１の後端５Ｅが収容本体３１の開口３１ｙに嵌合するとともにパッキン３２に接触した状態でペン先５を含めて一体的に結合されて、ペン先の保持構造２００を構成している。
【００７６】
ペン先の保持構造２００においては、インク収容体３の収容本体３１の収容空間３１ｘは、ペン芯４の結合端４１から本体部４０の先端４０Ｔまで達する凹溝４０ｂと、結合端４１の端面４２上の端面スリット４２ａから内部空間４０ｘを介して開口４０ａにまで達する経路との２つの独立した経路により外部と連通する。
【００７７】
本実施の形態２のペン芯４は、以上の構成を備えたことにより、実施の形態１と同様、装着させたペン先５を、外部のコンバータやカートリッジのようなインク収容体と組み合わせることにより、インク収容体からペン先５にインクの供給を受ける筆記具として構成して、長期間の筆記を実現させる。更に、実施の形態１のペン芯１、ペン先の保持構造１００と同様の各種の効果を奏する。
【００７８】
更に、本実施の形態２のペン芯４は、本体部４０において、インク収容体３の収容本体３１の収容空間３１ｘと外部とを連通させる連通路を、側面スリット４０ｃにより中心軸ＣＡに沿って形成されるとともに端面４２により部分的に閉塞されることで本体部４０の外形に沿った輪郭を有する内部空間４０ｘにより構成したことにより、更に以下の効果を奏する。
【００７９】
すなわち、本体部４０は、上記の構成を備えたことにより壁体が肉薄になるとともに開断面を形成することで、図５（ｂ）〜（ｄ）に示した中心軸ＣＡに直交する平面上において可撓性を備え、横断面形状が一定の復元力を有する程度に変形し易くなっている。これにより、図７（ａ）の平面図及び図７（ａ）のＡ−Ａ断面図である図７（ｂ）に示すように、図中破線で示す本体部４０は、横断面形状においてはペン芯４への装着前において、ペン芯４の横幅以上の幅広となる楕円状、長円状、その他任意の形状とするとともに、図７（ｂ）に示すように、先端１０Ｔが中心軸ＣＡから離れる向きに屈曲又は湾曲して反り返った形状とすることができる。
【００８０】
そして、本体部４０はペン先５のペン本体５１の凹面との接触面ＣＳを形成する際に、凹面の形状に追従するよう、幅狭且つ先端１０Ｔの反りが復元して中心軸ＣＡに向かって変形することで、本体部１０は一定の弾性をもってペン本体５１に圧接することとなる。これにより、ペン芯４とペン先５の接触面ＣＳにおける密着性が向上して、ペン先からのインクの吐出量を安定化することが可能となり、ひいては筆記時におけるペン先との接触面ＣＳの安定性を高めて、ペン先５の筆記具としての書き心地、描線の品質を向上させることが可能となる。
【００８１】
更に、本体部４０において結合端４１の近傍は、内部空間４０ｘが端面４２により部分的に閉塞されることにより、中心軸ＣＡに直交する平面上における可撓性が図７（ｂ）（ｃ）に示した他の部分より小さくなり、変形しにくくなっている。これにより、インク収容体３への嵌合状態を良好に保ち、ペン芯４とペン先５の接触面ＣＳにおける密着性を向上させつつ、インク漏れを抑制して、信頼性の高い筆記具を得ることが可能となる。
【００８２】
更に、インク収容体３の収容本体３１の開口３１ｙに隣接する開口としてスリット状の端面スリット４２ａを設けたことにより、内部空間４０ｘへのインクの漏出を抑制して、筆記時のインク漏れの恐れを軽減した、信頼性の高い筆記具を得ることが可能となる。
【００８３】
なお、図７（ａ）及び（ｂ）に示す本体部４０の形状は、ペン芯４の製造時において予め得られるものであってもよいし、製造時において図７（ｃ）に示す接触面ＣＳを形成可能な形状であったものを、使用者側の操作による変形にて得られるものとしてもよい。特に後者とした場合、ペン先５の状態に応じて筆記時のインクの吐出量を使用者側にて調節して描線の特性を調整することが可能となり、特に美術用途に好適な筆記具を得ることが可能となる。
【００８４】
また、図７（ａ）〜（ｃ）に示す構成は実施の形態１のペン芯１に対して適用してもよく、同様の効果を奏する。更に、ペン先の保持構造２００は、ペン先５のペン本体５１の後端５Ｅがパッキン３２に接触した状態でペン先５を含めて一体的に結合されるものとしたが、後端５Ｅはパッキン３２から離隔した状態でペン先５を含めて一体的に結合されるものとしてもよい。
【００８５】
（実施の形態３）
本発明の実施の形態３は、上記各実施の形態のペン芯１又は４を、ペン先とともに万年筆用のコンバータ又はインクカートリッジとしてのインク収容体と結合するためのペン先の保持構造である。
【００８６】
以下、図８（ａ）（ｂ）を参照して説明を行う。図８の各図は図３、図５に対応して、ペン芯１の中心軸ＣＡ及び凹溝１０ｂを通る平面による、本実施の形態３のペン先の保持構造の要部を示す断面図である。ただし、ペン芯１及びペン先２は断面ではなく表面を示した。
【００８７】
図８（ａ）に示すように、本実施の形態３のペン先の保持構造３００は、実施の形態１のペン芯１とコンバータに例示されるインク収容体６と結合する中間コネクタ７とを備える。
【００８８】
インク収容体６は、インクを収容する略円筒形状の収容空間６０ｘを内部に有する略円筒形状の収容本体６０を備えるとともに、インクの供給口となる開口６０ｙは収容本体６０と同軸であって外径がより小さい開口端６１を形成することで外形に段差を有し、そのままではペン先２の嵌合部２２には嵌合しない。
【００８９】
中間コネクタ７は、ペン芯１の本体部１０と同様外形略円筒形状の樹脂製又は金属製の材料により作成される本体部７０を主要な構成として備え、本体部７０内には、延出方向に沿って形成されたペン芯１の結合端１１の外径以下の外径を有する内周面７１が形成される。内周面７１の両端の開口において、インク収容体６に接続される一端はインク収容体６の開口端６１の形状に対応した外径を有するとともに開口端６１を嵌合させてこれと接触する内筒端７２が形成される。また、ペン先２に接続される他端はペン先２の嵌合部２２を嵌合させるとともに後端２Ｅを接触させる内筒端７３が形成される。
【００９０】
これにより、インク収容体６とペン芯１及びペン先２とは、間に中間コネクタ７を介して、本体部７０の内周面７１にペン芯の結合端１１が嵌合し、収容本体６０の開口端６１が内筒端７２に嵌合するとともに、ペン先２の嵌合部２２が内筒端７３に接触した状態で、ペン先２を含めて一体的に結合されて、ペン先の保持構造３００を構成している。
【００９１】
ペン先の保持構造３００においても、実施の形態１のペン先の保持構造１００と同様、ペン先２とペン芯１とは、図示しない本体部１０の延出方向に沿って所望の位置に位置決めした状態にて嵌合した状態で、中間コネクタ７に更に嵌合する。
【００９２】
これにより、インク収容体６からペン先２へのインクの供給量を適正化し、筆記中におけるペン芯１とペン先２との接触面の状態を最適化してインクの吐出量を安定化するとともに、筆圧に起因するペン先２の軸方向に沿った移動を内筒端７３との干渉により規制させて、筆記状態を安定させ、書き心地及び描線の品質を向上させた筆記具を、簡易な構成及び組立にて実現することが可能となる。また、実施の形態１のペン先の保持構造１００と同様、ペン芯１とペン先２の着脱は本体部１０の中心軸ＣＡに沿った挿抜に基づく嵌合という簡易な組立操作で行うことができ、使用者側でペン先２の交換やペン芯１の洗浄等のメンテナンスが容易であって、適用できるインクの色、種類が広汎な、特に絵画等の美術用途に好適な筆記具を得ることが可能となる。
【００９３】
次に、図８（ｂ）に示すように、本実施の形態３の他の例であるペン先の保持構造４００は、実施の形態１のペン芯１とコンバータに例示されるインク収容体８とを結合する中間コネクタ９とを備える。
【００９４】
インク収容体８は、インクを収容する略円筒形状の収容空間８０ｘを内部に有する略円筒形状の収容本体８０を備えるとともに、インクの供給口となる開口８０ｙは収容空間８０ｘと同軸であって外径がペン先２及びペン芯１のそれぞれの外径より大きい開口端８１を形成することで内周側の輪郭に段差を有しており、そのままではペン先２の嵌合部２２には嵌合しない。
【００９５】
中間コネクタ９は、ペン芯１の本体部１０と同様、外形略円筒形状の樹脂製又は金属製の材料により作成される本体部９０を主要な構成として備え、本体部９０内には、延出方向に沿って形成されたペン芯１の結合端１１の外径以下の内径を有する内周面９１が形成される。本体部９０の、インク収容体８に接続される一端はインク収容体６の開口端８１の形状に対応した外径を有するとともに開口端８１に嵌合してこれと接触する端面９２を有する。また、ペン先２に接続される他端は、ペン先２の嵌合部２２を嵌合させるとともに後端２Ｅを接触させる内筒端９３が形成される。
【００９６】
これにより、インク収容体８とペン芯１及びペン先２とは、間に中間コネクタ９を介して、本体部９０の内周面９１にペン芯の結合端１１が嵌合し、収容本体８０の開口端８１が端面９２に嵌合するとともに、ペン先２の嵌合部２２が内筒端９３に接触した状態で、ペン先２を含めて一体的に結合されて、ペン先の保持構造４００を構成している。
【００９７】
このような構成においても、ペン先２とペン芯１とは、図示しない本体部１０の延出方向に沿って所望の位置に位置決めした状態にて嵌合した状態で、中間コネクタ９に更に嵌合して、図８（ａ）に示すペン先の保持構造３００と各々同様の効果を奏する。
【００９８】
次に、図８（ｃ）に示すように、本実施の形態３の他の例であるペン先の保持構造３００Ａは、実施の形態１のペン芯１とコンバータに例示されるインク収容体６Ａとを結合する中間コネクタ７Ａとを備える。
【００９９】
インク収容体６Ａは、インクを収容する略円筒形状の収容空間６０Ａｘを内部に有する略円筒形状の収容本体６０Ａを備えるとともに、インクの供給口となる開口６０Ａｙはペン先２及びペン芯１のそれぞれの外径より小さい開口端６１Ａに連通しており、そのままではペン先２の嵌合部２２には嵌合しない。
【０１００】
中間コネクタ７Ａは、ペン芯１の本体部１０と同様、外形略円筒形状の樹脂製又は金属製の材料により作成される本体部７０Ａを主要な構成として備え、本体部７０Ａ内には、延出方向に沿って形成されたペン芯１の結合端１１の外径以下の外径を有する内周面７１Ａが形成される。本体部７０Ａの、インク収容体６Ａに接続される一端はインク収容体６Ａの開口６０Ａｙの内径に対応した外径を有するとともに開口６０Ａｙに嵌合する嵌合端７２Ａを形成する。また、ペン先２に接続される他端は、ペン先２の嵌合部２２を嵌合させるとともに後端２Ｅを接触させる内筒端７３Ａが形成される。なお、嵌合端７２Ａの内周面７４Ａと本体部７０Ａの内周面７１Ａとは同軸に配列され段差が形成される。
【０１０１】
これにより、インク収容体６Ａとペン芯１及びペン先２とは、間に中間コネクタ７Ａを介して、本体部７０Ａの内周面７１Ａにペン芯の結合端１１が嵌合し、インク収容体６Ａの開口端６１Ａに本体部７０Ａが接触した状態で収容本体６０Ａの開口６０Ａｙに中間コネクタ７Ａの嵌合端７２Ａが嵌合し、更にペン先２の嵌合部２２が内筒端７３Ａに接触した状態で、ペン先２を含めて一体的に結合されて、ペン先の保持構造３００Ａを構成している。
【０１０２】
このような構成においても、ペン先２とペン芯１とは、図示しない本体部１０の延出方向に沿って所望の位置に位置決めした状態にて嵌合した状態で、中間コネクタ７Ａに更に嵌合して、図８（ａ）に示すペン先の保持構造３００と各々同様の効果を奏する。
【０１０３】
更に、中間コネクタ７、７Ａ及び９はインク収容体６、６Ａ及び８とそれぞれ別部材としたことにより、インク収容体６、６Ａ、８と結合する端部の形状及び寸法を、インク収容体６、６Ａ、８の開口６０ｙ、６０Ａｙ、８０ｙの近傍の形状及び寸法に適合するように定めることができる。これにより、端面形状や内径が互いに大小の異なりがあってそのままではペン芯１が嵌合できない市販のコンバータ又はインクカートリッジに対してペン芯１を嵌合可能な形状、寸法とすることができ、本発明のペン芯を適用した筆記具を容易に得ることが可能となる。更に、本実施の形態３のペン先の保持機構３００、４００、５００によれば、ペン芯、ペン先及び中間コネクタを一体化した状態で別部品であるインク収容体に脱着自在に結合させることができる。これにより、インク収容体を交換する際にペン芯及びペン先の位置合わせにずれを生ずることがなく、書き心地や描線の特性が損なわれることのない、信頼性の高い筆記具を得ることが出来る。なお、中間コネクタ７、７Ａ及び９は本発明の結合部に相当する。
【０１０４】
一方、実施の形態１又は２のインク収容体３のように、本発明の結合部をインク収容体と一体的に構成した場合は、部品点数及び結合部分の点数が省略され、筆記具を簡易な構成にて実現するとともに、インク漏れの恐れを軽減して信頼性を向上させることが可能となる。
【０１０５】
なお、上記の説明においては、実施の形態１のペン芯１に基づく構成として説明を行ったが、本実施の形態３は、実施の形態２のペン芯４において適用してもよく、同様の効果を奏する。
【０１０６】
以上のように、本発明は、各実施の形態を参照して説明したように、つけペンとしてペンホルダに装着して用いられる丸ペンやＧペンに例示されるペン先に組み合わせることで、当該ペン先を万年筆用のコンバータ又はインクカートリッジに例示されるインク収容体と組み合わせた筆記具を実現する。これにより、例えば美術用途に用いられるつけペンのペン先を長時間連続した筆記に好適化することが可能となる効果を奏する。
【０１０７】
（その他の実施の形態）
しかしながら、本発明は上記の各実施の形態により限定されるものではない。
【０１０８】
上記の説明においては、本発明の支持軸体に相当する、ペン芯１の本体部１０は、外形略円筒形状の部材であるとしたが、図９（ａ）に示すように、接触面ＣＳに対応する凹溝１０ｂが含まれた側面において、先端１０Ｔが中心軸ＣＡから離れる向きに湾曲又は屈曲した構成であるとしてもよい。これにより、実施の形態２のペン芯４と同様、ペン芯１の先端１０Ｔを含めた接触面ＣＳ及びその近傍は、弾性的にペン先に圧接する。したがって、ペン先との接触面ＣＳの密着性を高めてペン先からのインク漏れを抑制して、信頼性の高い筆記具を得ることが可能となる。
【０１０９】
更に、上記の説明においては、本発明の支持軸体の空洞は、ペン芯１又は４の本体部１０又は４０の内部空間１０ｘ又は４０ｘとして本体部１０の外形に沿った空洞として構成され、開口１２ａと連通する又は端面スリット４２ａが形成された端面４２に閉塞されるものであるとしたが、図９（ｂ）に示すように、結合端１１上の開口１２ｂ及び先端１０Ｔ側の開口１０ａと連通する管状の連通路１０ｙとして構成してもよい。特に、連通路１０ｙは開口１０ａから開口１２ｂに向かって内径が漸減する構成としたことにより、本体部１０において先端１０Ｔ近傍の壁体が他の部分に比して肉薄となり、ペン先と面接触した状態を保ちつつ、筆圧に追従して湾曲し易くなる。
【０１１０】
これにより、筆記時におけるペン先との接触面ＣＳの安定性を高めて、書き心地及び描線の品質を向上させた筆記具を得ることが可能となる。なお、連通路１０ｙは内径が一様な構成であるとしてもよい。
【０１１１】
更に、上記の説明においては、本体部４０の内部空間４０ｘと連通する側面スリット４０ｃは、等幅であるとしたが、図９（ｃ）に示すように、開口４０ａに向かって幅広に変化する構成としてもよい。これにより、本体部１０とペン本体５１との接触部分、特に孔部５１ｘ及び切り割り５１ｙの近傍との接触部分がより変形しやすくなり、筆記時におけるペン先との接触面ＣＳの密着度を高めて、書き心地及び描線の品質を向上させた筆記具を得ることが可能となる。
【０１１２】
なお、図９（ａ）〜（ｃ）の構成は、それぞれ単独又は任意の組合せで、実施の形態１のペン芯１及び実施の形態２のペン芯４のいずれに適用してもよい。
【０１１３】
更に、上記の説明においては、本発明の複数の連通路は、支持軸体上の溝部としての凹溝１０ｂ（４０ｂ）及び本体部１０（４０）内に形成された内部空間１０ｘ（４０ｘ）、開口１０ａ（４０ａ）、開口１２ａ（端面スリット４２ａ）からなる経路であるとしたが、結合端がインク収容体と結合した状態で収容空間と外部とを連通させることができれば、その本数及び具体的な態様に限定されない。例えば、外気の大気圧とインク収容体の収容空間内の圧力を同一圧に保つための連通路も本体部１０（４０）の側面に形成した溝としてもよいし、インクをペン先２（４）に導くための溝の本数も複数であってよい。更に、上記の説明においては、凹溝１０ｂ（４０ｂ）は、本体部１０（４０）の先端１０Ｔ（４０Ｔ）まで達するものとしたが、ペン先２（５）との結合時にペン先のスリットの縁としての孔部２１ｘ（５１ｘ）又は切り割り２１ｙ（５１ｙ）に重なっていれば、本体部１０（４０）の先端１０Ｔ（４０Ｔ）まで達しない長さを有するものであってもよい。
【０１１４】
更に、上記の説明においては、端面４２は端面スリット４２ａにより内部空間１０ｘと外部とを連通させる構成であるであるとしたが、任意形状の開口を設けるようにしてもよい。
【０１１５】
更に、上記の説明においては、本発明のペン先は、丸ペン又はＧペンであるとしたが、本発明のペン先としては、カブラペン、スクールペンその他、ペン芯の支持軸体の接触面に脱着自在に面接触することができれば、任意の種類のペン先であってよい。
【０１１６】
更に、上記の説明においては、本発明のペン先の保持構造は、ペン先の保持構造１００、２００、３００、３００Ａ、４００、として構成され、ペン先とペン芯とは、支持軸体としての本体部１０、４０の延出方向に沿って、所望の位置に調節して位置決めすることが可能な状態、且つペン先の後端が結合部としてのパッキン３２又は中間コネクタ７の内筒端７３と接触する構成であるとしたが、図１０（ａ）に示すペン先の保持構造５００のように、インク収容体８Ａが段差を有さない一様な内周面８１Ａにより形成された収容空間８０Ａｘを有する収容本体８０Ａにより構成される場合においては、ペン先２の嵌合部２２を直接開口８０Ａｙに嵌合させる構成としてもよい。
【０１１７】
更に、図１０（ｂ）に示すペン先の保持構造６００のように、インク収容体８Ｂが内周面８１Ｂ内にパッキン８１Ｃを設けることによって段差が形成された収容空間８０Ｂｘを有する収容本体８０Ｂにより構成される場合においては、ペン先２の嵌合部２２を直接パッキン８１Ｃに嵌合させる構成としてもよい。
【０１１８】
これらの構成の場合、ペン芯１の結合端１１はインク収容体８に間接的に結合される態様となり、より簡易にペン先を筆記具とすることができる。更に、本構成によれば、ペン芯１とペン先２とを一体化して結合した状態を保ちつつ、嵌合後もペン先２を収容空間８０ｘ内で移動させることができる。これによりペン先２の先端２Ｔの位置を調節することができ、使用者の個性に応じた書き心地を与える、特に美術用途に好適な筆記具を得ることが可能となる。
【０１１９】
更に、ペン先の保持構造５００及び６００の結合部の構成は、インク収容体の開口近傍の構成のみならず、実施の形態３の中間コネクタ７及び９に例示される、インク収容体とは別部品である結合部に対して適用するものとしてよい。
【０１２０】
更に、図１０（ｂ）のインク収容体８Ｂは別部品としてのパッキン８１Ｃ、更には実施の形態１及び２のインク収容体３は収容本体３１内に別部品としてのパッキン３２を備える構成としたが、ペン芯の後端が接触するための開口近傍の段差、あるいはペン先が嵌合するための同軸にて内径が異なる内周面の形状は、インク収容体の内壁の形状としてインク収容体と一体化した構成として実現してもよい。
【０１２１】
更に、パッキン３２、８１Ｃ等のパッキンは収容空間の延出方向に沿って離隔して複数設ける構成としてもよい。これにより、複数のパッキンの間にインクを溜め込ませてインク漏れを抑制することが可能となる。また、パッキンと同様の形状を有する凸部をインク収容体の内周面から離隔して複数設けるようにしてもよく、同様の効果が得られる。
【０１２２】
要するに、本発明のペン芯の支持構造は、ペン芯とペン先とインク収容体とを結合できればよく、その他の具体的な構成によって限定されるものではない。
【０１２３】
更に、上記の説明においては、本発明のペン芯又はペン先の支持構造の例示として説明を行ったが、本発明は、本発明のペン芯又はペン先の支持構造を備えたペンホルダとして実現してもよい。例として、図１１（ａ）には、ペン先２に組み合わされたインク収容体３を内部に着脱自在に収容可能な胴軸１１１を備えたペンホルダ１１０を示した。なお、インク収容体３は予め同軸１１１内に含まれない態様であるとしてもよい。また、同軸１１１が収容空間を有するインク収容体と兼用された構成であるとしてもよい。
【０１２４】
これにより、形状や描線の特性に異なりのある種々のペン先、更には色や種類の異なるインクを収容するインク収容体を選択的に装着して使用できる、汎用性の高い筆記具を得ることが可能となる。
【０１２５】
更に、本発明は、本発明のペン芯又はペン先の支持構造を備えた筆記具として実現してもよい。例として、図１１（ｂ）には、ペン先２及びペン芯１に組み合わされたインク収容体３を内部に収容可能な胴軸１２１及び、図中矢印Ｄ方向に沿ってペン先２側から同軸１２１に装着される、ペン先２の保護及び乾燥防止のためのキャップ１２２を備えた万年筆類似の筆記具１２０を示した。
【０１２６】
これにより、例えば美術用途に用いられるつけペンのペン先を長時間連続した筆記に好適化することが可能となる。更に、形状や描線の特性に異なりのある種々のペン先、更には色や種類の異なるインクを収容するインク収容体を選択的に装着して使用できる、汎用性の高い筆記具を得ることが可能となる。
【０１２７】
要するに、本発明は、その要旨を逸脱しない範囲内であれば、以上説明したもの及びその任意の組み合わせを含め、上記実施の形態に種々の変更を加えたものとして実施してもよい。
【産業上の利用可能性】
【０１２８】
以上のような本発明は、例えば美術用途に用いられるつけペンのペン先を長時間連続した筆記に好適化することが可能になるというという効果を奏し、例えばペン芯、ペン先の保持構造、並びにそれらを用いたペンホルダ及び筆記具において有用である。
【符号の説明】
【０１２９】
１、４  ペン芯
２、５  ペン先
３、６、８  インク収容体
７、８  中間コネクタ
１０、４０、７０、９０  本体部
２Ｅ、５Ｅ、１０Ｅ  後端
２Ｔ、５Ｔ、１０Ｔ、４０Ｔ  先端
１０ａ、１２ａ、１２ｂ、３１ｙ、４０ａ、６０ｙ、８０ｙ  開口
１０ｂ、４０ｂ  凹溝
１０ｃ、４０ｃ  側面スリット
１０ｘ、４０ｘ  内部空間
１０ｙ  連通路
１１、４１  結合端
４２、９２  端面
４２ａ  端面スリット
２１、５１  ペン本体
２１ｘ、５１ｘ  孔部
２１ｙ、５１ｙ  切り割り
２２  嵌合部
３１、６０、８０  収容本体
３１ｘ、６０ｘ、８０ｘ  収容空間
３２  パッキン
６１、８１  開口端
３１ｚ、７１、８１、９１  内周面
７２、７３、９３  内筒端
１００、２００、３００、４００、５００  ペン先の保持構造
１１０  ペンホルダ
１１１、１２１  胴軸
１２０  筆記具
【図１】
2019209476.tif 000003
【図２】
2019209476.tif 000004
【図３】
2019209476.tif 000005
【図４】
2019209476.tif 000006
【図５】
2019209476.tif 000007
【図６】
2019209476.tif 000008
【図７】
2019209476.tif 000009
【図８】
2019209476.tif 000010
【図９】
2019209476.tif 000011
【図１０】
2019209476.tif 000012
【図１１】
2019209476.tif 000013